(57)【要約】【課題】例えば、リニューアルにおける工期短縮や低コスト化を図ることができる乗りかごのリニューアル方法を提供する。【解決手段】実施形態の乗りかごのリニューアル方法は、乗りかごのかご室の既設床材に欠損がないことを確認する。リニューアル方法は、かご室の出入口に取り付けられかつ出入口を開閉するドアを案内する敷居の位置の調整代があることを確認する。リニューアル方法は、敷居の上面を既設床材上に取り付けられる新規床材の厚み分既設床材よりも上方に移動させた後、敷居をかご室に固定する。リニューアル方法は、既設床材上に新規床材を取り付ける。【選択図】図４
2015048206.tif 000002
【特許請求の範囲】
【請求項１】
乗りかごのかご室の既設床材に欠損がないことを確認し、
前記かご室の出入口に取り付けられかつ前記出入口を開閉するドアを案内する敷居の位置の調整代があることを確認すると、
前記敷居の上面を前記既設床材上に取り付けられる新規床材の厚み分前記既設床材よりも上方に移動させた後、前記敷居を前記かご室に固定し、
前記既設床材上に前記新規床材を取り付ける
ことを特徴とする乗りかごのリニューアル方法。
【請求項２】
前記かご室の出入口を開閉する複数のドアが同方向に移動して前記出入口を開閉し、
前記敷居の端面に取り付けられかつ上下方向に沿って延びたエントランス部材には、前記新規床材の厚みに応じた切欠きが形成されている
ことを特徴とする請求項１に記載の乗りかごのリニューアル方法。
【発明の詳細な説明】
【技術分野】
【０００１】
本発明の実施形態は、乗りかごのリニューアル方法に関する。
【背景技術】
【０００２】
従来、エレベータは、昇降路内を昇降体としての乗りかごが移動することにより、乗りかごを任意の階床に移動させるが、このようなエレベータでは、例えば、乗りかごの床材を交換するなどのリニューアルが行われることが知られている。
【先行技術文献】
【特許文献】
【０００３】
【特許文献１】特開２００２−１２８４２９号公報
【特許文献２】特開平８−２９５４７１号公報
【発明の概要】
【発明が解決しようとする課題】
【０００４】
ところで、従来技術においては、例えば、乗りかごのリニューアルにおける工期短縮や低コスト化等の点でさらなる改善の余地がある。
【０００５】
したがって、本発明が解決しようとする課題は、例えば、リニューアルにおける工期短縮や低コスト化を図ることができる乗りかごのリニューアル方法を提供することにある。
【課題を解決するための手段】
【０００６】
実施形態の乗りかごのリニューアル方法は、乗りかごのかご室の既設床材に欠損がないことを確認する。リニューアル方法は、かご室の出入口に取り付けられかつ出入口を開閉するドアを案内する敷居の位置の調整代があることを確認する。リニューアル方法は、敷居の上面を既設床材上に取り付けられる新規床材の厚み分既設床材よりも上方に移動させた後、敷居をかご室に固定する。リニューアル方法は、既設床材上に新規床材を取り付ける。
【図面の簡単な説明】
【０００７】
【図１】図１は、実施形態１に係る乗りかごのリニューアル方法によりリニューアルされた乗りかごを備えたエレベータの全体の構成を模式的に示す正面図である。
【図２】図２は、実施形態１に係る乗りかごのリニューアル方法によりリニューアルされた乗りかごの概略の構成を示す斜視図である。
【図３】図３は、図２に示すＩＩＩ−ＩＩＩ線に沿って一部を断面で示す図である。
【図４】図４は、実施形態１に係る乗りかごのリニューアル方法を示すフローである。
【図５】図５は、実施形態２に係る乗りかごのリニューアル方法によりリニューアルされた乗りかごの概略の構成を示す斜視図である。
【図６】図６は、図５に示すＶＩ−ＶＩ線に沿って一部を断面で示す図である。
【図７】図７は、実施形態２に係る乗りかごのリニューアル方法を示すフローである。
【発明を実施するための形態】
【０００８】
［実施形態１］
本発明の実施形態１に係る乗りかごのリニューアル方法を図面に基いて説明する。図１は、実施形態１に係る乗りかごのリニューアル方法によりリニューアルされた乗りかごを備えたエレベータの全体の構成を模式的に示す正面図、図２は、実施形態１に係る乗りかごのリニューアル方法によりリニューアルされた乗りかごの概略の構成を示す斜視図、図３は、図２に示すＩＩＩ−ＩＩＩ線に沿って一部を断面で示す図である。
【０００９】
本発明の実施形態１に係るエレベータのリニューアル方法（以下、単に、リニューアル方法と記す）は、図１に示されたエレベータ１の乗りかご２をリニューアルする方法である。エレベータ１は、建造物（建築物ともいう）の昇降路内に設置される。エレベータ１は、乗りかご２内の行先階登録装置（図示せず）の操作による行先階登録及び各階床の乗り場に設けられた呼び登録装置（図示せず）の操作による呼び登録に基いて乗客などを建造物の所望の階床に運搬する。昇降路は、建造物の複数の階床に亘って設けられ、かつ鉛直方向に沿って直線状に延びている。
【００１０】
エレベータ１は、図１に示すように、乗りかご２と、カウンタウェイト３と、メインロープ８と、駆動機構４と、図示しない制御盤とを備えている。
【００１１】
乗りかご２は、かご用ガイドレール（図示せず）により、鉛直方向に昇降自在に支持されている。乗りかご２は、図２に示すように、乗客を収容するかご室５を備えている。かご室５は、箱状に形成されて、内側に乗客などを収容可能である。かご室５は、床を構成するパレット１０にかご室パネル１１及び天井パネル１２がボルトにより固定されて構成されている。
【００１２】
また、かご室５には、乗客を出入り自在とする出入口５ａを開閉するかご側ドア５ｂ（図１に示し、ドアに相当）が設けられている。実施形態１では、かご側ドア５ｂは、乗りかご２の幅方向に２つ（複数）並べて配置され、互いに逆方向に移動して、出入口５ａを開閉する。かご側ドア５ｂは、互いに離間して出入口５ａを開放し、互いに近付いて出入口５ａを閉じる。このように、実施形態１では、乗りかご２のかご室５は、かご側ドア５ｂが互いに逆方向に移動して出入口５ａを開閉する所謂中央開きのかご室となっている。
【００１３】
カウンタウェイト３は、ウェイト用ガイドレール（図示せず）により、鉛直方向に移動自在に支持されている。また、乗りかご２は、メインロープ８の一端部が取り付けられ、カウンタウェイト３は、メインロープ８の他端部が取り付けられている。メインロープ８は、駆動機構４の駆動シーブ９に掛け渡されて、乗りかご２とカウンタウェイト３とが互いに上下反対方向に昇降するように設けられている。即ち、エレベータ１は、所謂、釣瓶式のエレベータとなっている。このように、メインロープ８は、駆動機構４の巻き上げ機により移動されることで、乗りかご２とカウンタウェイト３とを釣瓶式に昇降させる。
【００１４】
駆動機構４は、例えば、昇降路の上部に設けられた機械室又は昇降路内の上部などに設けられる。駆動機構４は、図１に示すように、周知の巻き上げ機と、メインロープ８が掛け渡されて巻き上げ機により回転駆動される駆動シーブ９などを備えている。駆動機構４は、巻き上げ機が駆動シーブ９を回転駆動することにより、メインロープ８を昇降路内で移動させて、乗りかご２とカウンタウェイト３を昇降させる。
【００１５】
制御盤は、例えば、昇降路内などに設けられる機器であって、図示しないＲＡＭ、ＲＯＭ、ＣＰＵ、入出力ポート及び記憶装置を備えた演算装置である。制御盤は、乗りかご２内の行先階登録装置や、各階床の乗り場に設けられた呼び登録装置、駆動機構４などに接続して、エレベータ１全体の運転制御を行う。
【００１６】
また、実施形態１に係るリニューアル方法によりリニューアルされた乗りかご２は、図３に示すように、かご室５の床を構成するパレット１０に、既設床材１３と新規床材１４とが順に重ねられて取り付けられている。既設床材１３は、リニューアル前の乗りかご２のかご室５の床面を構成している。既設床材１３は、図３に示すように、例えばベニア板で構成されかつパレット１０の表面に取り付けられた基材１３ａと、基材１３ａ上に取り付けられた化粧板１３ｂとを備えている。基材１３ａ、化粧板１３ｂ及び新規床材１４は、パレット１０の平面形状と略等しい大きさの平板状に形成されている。新規床材１４は、リニューアル後の乗りかご２のかご室５の床面を構成する。なお、基材１３ａ、化粧板１３ｂ及び新規床材１４は、接着剤（図示せず）によりパレット１０に取り付けられたり、互いに取り付けられる。
【００１７】
また、乗りかご２のかご側ドア５ｂの下端部の移動方向を案内するガイド溝１５ａを有した敷居１５は、図３に示すように、敷居取付ブラケット１６を介して、パレット１０に取り付けられている。即ち、敷居１５は、図３に示すように、敷居取付ブラケット１６を介して、出入口５ａの下部に取り付けられている。敷居取付ブラケット１６は、パレット１０の出入口５ａからみた正面に重ねられてボルト１７ａなどに取り付けられるパレット固定部１６ａと、敷居１５の下面に重ねられてナット１７ｂなどに取り付けられる敷居固定部１６ｂとを備えている。敷居１５は、乗りかご２のかご室５の幅方向に沿って直線状に延在しており、その上面１５ｂの全長に亘ってガイド溝１５ａを設けている。また、敷居１５の上面１５ｂは、新規床材１４の表面と同一平面上に配置されている。
【００１８】
次に、実施形態１に係るリニューアル方法を図４に基いて説明する。図４は、実施形態１に係る乗りかごのリニューアル方法を示すフローである。図４に示されたリニューアル方法は、乗りかご２のかご室５の床材を既設床材１３から新規床材１４に交換（リニューアル）する方法である。
【００１９】
実施形態１に係るリニューアル方法では、作業員は、目視などにより既設床材１３の特に化粧板１３ｂに欠損やパレット１０からの既設床材１３の剥離による浮き上がりなどがないか否かを確認（ステップＳＴ１）する。作業員は、既設床材１３の特に化粧板１３ｂに欠損などがあることを確認する（ステップＳＴ１：Ｎｏ）と、既設床材１３をパレット１０から剥がした後、硬化している接着剤などをスクレーパなどで完全に除去し、新規床材１４をパレット１０の表面に接着剤などにより取り付ける。こうして、作業員は、既設床材１３の化粧板１３ｂに欠損などがあることを確認する（ステップＳＴ１：Ｎｏ）と、従来の方法によりリニューアルを施行（ステップＳＴ１０）し、乗りかご２のリニューアルを終了する。
【００２０】
作業員は、既設床材１３の特に化粧板１３ｂに欠損などがないことを確認する（ステップＳＴ１：Ｙｅｓ）と、目視などにより、敷居取付ブラケット１６のパレット１０に対する鉛直方向の位置を、新規床材１４の厚み分上方に移動することが可能か否かを確認する（ステップＳＴ２）。即ち、作業員は、敷居取付ブラケット１６により敷居１５の位置の調整代があるか否かを確認する（ステップＳＴ２）。作業員は、敷居１５の位置の調整代があることを確認する（ステップＳＴ２：Ｙｅｓ）と、敷居１５を敷居取付ブラケット１６に取り付けたまま、一旦、ボルト１７ａを緩める。そして、作業員は、敷居取付ブラケット１６のパレット１０に対する鉛直方向の位置を、新規床材１４の厚み分上方に移動させた後、ボルト１７ａを締め付けて、敷居取付ブラケット１６を再度パレット１０に固定する（ステップＳＴ３）。即ち、作業員は、リニューアル前にかご室５に固定された敷居１５の上面１５ｂを新規床材１４の厚み分既設床材１３よりも上方に移動させた後、敷居１５をかご室５に固定して、敷居取付ブラケット１６の位置を調整する（ステップＳＴ３）。そして、作業員は、既設床材１３上に接着剤により新規床材１４を取り付けて（ステップＳＴ６）、乗りかご２のリニューアルを終了する。
【００２１】
また、作業員は、敷居１５の位置の調整代がないことを確認する（ステップＳＴ２：Ｎｏ）と、目視などにより、敷居取付ブラケット１６が交換可能であるか否かを確認する（ステップＳＴ４）。作業員は、敷居取付ブラケット１６が交換可能でないことを確認する（ステップＳＴ４：Ｎｏ）と、従来の方法でリニューアルを施行する（ステップＳＴ１０）。また、作業員は、敷居取付ブラケット１６が交換可能であることを確認する（ステップＳＴ４：Ｙｅｓ）と、ボルト１７ａ及びナット１７ｂを緩めるなどして、敷居１５を敷居取付ブラケット１６から取り外すとともに、敷居取付ブラケット１６をパレット１０から取り外す。そして、作業員は、敷居取付ブラケット１６を新たな敷居取付ブラケット１６に交換し、ボルト１７ａ及びナット１７ｂを締め付けることで、敷居１５を新たな敷居取付ブラケット１６に取り付けるとともに、新たな敷居取付ブラケット１６をパレット１０に取り付ける（ステップＳＴ５）。この際、作業員は、リニューアル前にかご室５に固定された敷居１５の上面１５ｂを新規床材１４の厚み分既設床材１３よりも上方に移動させた後、敷居１５をかご室５に固定する。そして、作業員は、既設床材１３上に接着剤により新規床材１４を取り付けて（ステップＳＴ６）、乗りかご２のリニューアルを終了する。
【００２２】
実施形態１のリニューアル方法によれば、かご室５の既設床材１３よりも敷居１５の上面１５ｂを上方に位置させて、敷居１５をかご室５に固定し、既設床材１３上に新規床材１４を取り付ける。このために、リニューアル方法によれば、既設床材１３をパレット１０から剥がす必要がない。したがって、リニューアル方法によれば、リニューアルにおける工期短縮や低コスト化を図ることができ、エレベータ１の停止期間を短縮することができる。
【００２３】
また、リニューアル方法によれば、敷居１５をかご室５に固定する際に、敷居１５の上面１５ｂを新規床材１４の厚み分既設床材１３よりも上方に位置させる。このために、リニューアル方法によれば、新規床材１４を取り付けると、新規床材１４と敷居１５とを面一とすることができる。さらに、リニューアル方法によれば、既設床材１３に欠損や浮き上がりがないことを確認してから敷居１５の上面１５ｂを新規床材１４の厚み分既設床材１３よりも上方に位置させて既設床材１３上に新規床材１４を取り付ける。このために、リニューアル方法によれば、新規床材１４と敷居１５の上面１５ｂとを略面一とすることができ、美観を損なうことを抑制できる。また、リニューアル方法によれば、敷居１５の位置の調整代があることを確認すると、敷居１５の上面１５ｂを新規床材１４の厚み分既設床材１３よりも上方に位置させて既設床材１３上に新規床材１４を取り付ける。リニューアル方法によれば、敷居１５の位置の調整代がないことを確認すると、敷居取付ブラケット１６を交換する。このために、リニューアル方法によれば、既設床材１３に欠損や浮き上がりがないことを確認すると、リニューアル時に既設床材１３を再利用することができる。よって、リニューアル方法によれば、リニューアルにおける工期短縮や低コスト化を図ることができ、エレベータ１の停止期間を短縮することができる。
【００２４】
［実施形態２］
本発明の実施形態２に係る乗りかごのリニューアル方法を図面に基いて説明する。図５は、実施形態２に係る乗りかごのリニューアル方法によりリニューアルされた乗りかごの概略の構成を示す斜視図、図６は、図５に示すＶＩ−ＶＩ線に沿って一部を断面で示す図である。なお、図５及び図６において、実施形態１と同一部分には、同一符号を付して説明を省略する。
【００２５】
本発明の実施形態２に係るリニューアル方法は、図５に示されたエレベータ１の乗りかご２をリニューアルする方法である。実施形態２のリニューアル方法によりリニューアルされる乗りかご２のかご室５は、かご側ドア５ｂが互いに同方向に移動して出入口５ａを開閉する所謂片開きのかご室となっている。このために、敷居１５の上面１５ｂには、図５及び図６に示すように、平行なガイド溝１５ａが２つ設けられている。さらに、実施形態２には、敷居１５の端面などに上下方向に沿ったエントランス部材２０が取り付けられている。エントランス部材２０は、敷居１５の端面から上方に向かって延びており、出入口５ａを閉じたかご側ドア５ｂのうち一方が当接する。また、エントランス部材２０には、新規床材１４の厚みに応じた切欠き２０ａが形成されている。切欠き２０ａは、エントランス部材２０の敷居１５寄りの縁２０ｂが、新規床材１４の厚みに応じて切り取られて形成されている。
【００２６】
次に、実施形態２に係るリニューアル方法を図７に基いて説明する。図７は、実施形態２に係る乗りかごのリニューアル方法を示すフローである。なお、図７において、実施形態１と同一部分には、同一符号を付して説明を省略する。
【００２７】
実施形態２に係るリニューアル方法では、作業員は、敷居１５の位置の調整代があることを確認する（ステップＳＴ２：Ｙｅｓ）と、乗りかご２のかご室５が中央開きのかご室であるか否かを確認する（ステップＳＴ２ａ）。作業員は、乗りかご２のかご室５が中央開きのかご室でないと確認する（ステップＳＴ２ａ：Ｎｏ）と、既存のエントランス部材を剥がし、新規のエントランス部材２０を入手する（ステップＳＴ２ｂ）。
【００２８】
そして、作業員は、敷居１５を敷居取付ブラケット１６に取り付けたまま、一旦、ボルト１７ａを緩める。そして、作業員は、敷居取付ブラケット１６のパレット１０に対する鉛直方向の位置を、新規床材１４の厚み分上方に移動させた後、ボルト１７ａを締め付けて、敷居取付ブラケット１６を再度パレット１０に固定する（ステップＳＴ３）。さらに、作業員は、新規のエントランス部材２０を取り付けてから、新規床材１４を取り付けて（ステップＳＴ６）、乗りかご２のリニューアルを終了する。
【００２９】
また、作業員は、乗りかご２のかご室５が中央開きのかご室であると確認する（ステップＳＴ２ａ：Ｙｅｓ）と、実施形態１と同様に、敷居取付ブラケット１６の位置を調整（ステップＳＴ３）した後、新規床材１４を取り付けて（ステップＳＴ６）、乗りかご２のリニューアルを終了する。
【００３０】
実施形態２のリニューアル方法によれば、実施形態１と同様に、リニューアルにおける工期短縮や低コスト化を図ることができ、エレベータ１の停止期間を短縮することができる。
【００３１】
また、実施形態２のリニューアル方法によれば、エントランス部材２０に新規床材１４の厚みに応じた切欠き２０ａが形成されているので、短期間のリニューアル後の美観が損なうことを抑制することができる。
【００３２】
本発明は、カウンタウェイト３に設けられたシーブをメインロープ８の駆動シーブの一方側に掛けて、カウンタウェイト３に設けられたシーブをメインロープ８の駆動シーブの他方側に掛けてもよい。即ち、本発明は、ローピング方式として、乗りかご２及びカウンタウェイト３をメインロープ８に吊り下げる所謂２：１ローピング方式を採用したエレベータに適用してもよい。
【００３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１  エレベータ
２  乗りかご
５  かご室
５ａ  出入口
５ｂ  かご側ドア（ドア）
１３  既設床材
１４  新規床材
１５  敷居
１５ｂ  上面
２０  エントランス部材
２０ａ  切欠き
【図１】
2015048206.tif 000003
【図２】
2015048206.tif 000004
【図３】
2015048206.tif 000005
【図４】
2015048206.tif 000006
【図５】
2015048206.tif 000007
【図６】
2015048206.tif 000008
【図７】
2015048206.tif 000009
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
乗りかごのかご室の既設床材に欠損がないことを確認し、前記かご室の出入口に取り付けられかつ前記出入口を開閉するドアを案内する敷居の位置の調整代があることを確認すると、前記敷居の上面を前記既設床材上に取り付けられる新規床材の厚み分前記既設床材よりも上方に移動させた後、前記敷居を前記かご室に固定し、前記既設床材上に前記新規床材を取り付けるとともに、前記かご室の出入口を開閉する複数のドアが同方向に移動して前記出入口を開閉し、前記敷居の端面に取り付けられかつ上下方向に沿って延びたエントランス部材には、前記新規床材の厚みに応じた切欠きが形成されていることを特徴とする乗りかごのリニューアル方法。
【手続補正２】
【補正対象書類名】明細書
【補正対象項目名】０００６
【補正方法】変更
【補正の内容】
【０００６】
実施形態の乗りかごのリニューアル方法は、乗りかごのかご室の既設床材に欠損がないことを確認する。リニューアル方法は、かご室の出入口に取り付けられかつ出入口を開閉するドアを案内する敷居の位置の調整代があることを確認する。リニューアル方法は、敷居の上面を既設床材上に取り付けられる新規床材の厚み分既設床材よりも上方に移動させた後、敷居をかご室に固定する。リニューアル方法は、既設床材上に新規床材を取り付ける。かご室の出入口を開閉する複数のドアが同方向に移動して出入口を開閉する。敷居の端面に取り付けられかつ上下方向に沿って延びたエントランス部材には、新規床材の厚みに応じた切欠きが形成されている。